(57)【要約】      （修正有）【課題】拘束なしに寝相の悪さによる布団ずれを防ぎ、なおかつ身体を移動させることなく上半身のみを起こして起床できる布製寝具保持具を提供する。【解決手段】布製寝具保持具は、少なくとも使用者の背中に敷かれることとなる長さ以上である敷布８と敷布８の長さより短く使用者の下半身を覆う程度の長さの表布９と、敷布８と表布９との間に収める敷布団および掛布団の厚さに対応する幅のマチ１とを備え、敷布８の一端にマチ１を介して表布９が結合されている。【選択図】図１
0003232283.tif 000002
【実用新案登録請求の範囲】
【請求項１】
少なくとも使用者の背中に敷かれることとなる長さ以上である敷布８と前記敷布の長さより短く使用者の下半身を覆う程度の長さの表布９と、前記敷布８と前記表布９との間に収める敷布団３および掛布団２の厚さに対応する幅のマチ１とを備え、前記敷布８の一端に前記マチ１を介して前記表布９が結合されていることを特徴とする布製寝具保持具。
【請求項２】
前記マチ１には作業口７が設けられていることを特徴とする請求項１記載の布製寝具保持具。
【考案の詳細な説明】
【技術分野】
【０００１】本考案は敷布団３と掛布団２さらに必要に応じて毛布などをまとめて覆うことで就寝中の蹴飛ばし行為等による掛けてある布団等のズレを防ぐための布製寝具保持具に関する。
【背景技術】
【０００２】人の多くは入眠時に下半身への圧迫はさほど気にならないが上半身への圧迫はおおいに気になり従来技術のものは上半身まで布で覆われるために掛布団２の重さに寝具自体の重さが加わるために圧迫感による息苦しさを感じて入眠し難いという問題があった。【０００３】また拘束を伴うので布団から出る、あるいは解除のために何らかの操作をしないと目覚めた時にそのまま上半身を起こして起床することができず、これは煩わしい。【０００４】さらに特許文献１のものでは寝具を保持固定するために下半身部分のみの体重しか利用しないため、例えば自転車漕ぎの姿勢のように足を浮かせて掛布団２を足蹴にした場合などは保持力が弱く固定具ごと布団がずれてしまう問題がある。
【先行技術文献】
【特許文献】
【０００５】
【特許文献１】実登３１４５７５９号公報
【考案の概要】
【考案が解決しようとする課題】
【０００６】本考案は上記従来技術の息苦しさを感じて入眠し難いという問題、また目覚めた時に上半身を起こして起床することが出来ないという問題、さらにまた固定具ごと布団がズレてしまう問題などを解決することを目的とする。
【課題を解決するための手段】
【０００７】請求項１記載の考案は、少なくとも使用者の背中に敷かれることとなる長さ以上である敷布８と前記敷布の長さより短く使用者の下半身を覆う程度の長さの表布９と、前記敷布８と前記表布９との間に収める敷布団３および掛布団２の厚さに対応する幅のマチ１とを備え、前記敷布８の一端に前記マチ１を介して前記表布９が結合されている布製寝具保持具であることを特徴とする。【０００８】請求項２記載の考案は、マチ１には作業口７が設けられている布製寝具保持具であることを特徴とする。
【考案の効果】
【０００９】本考案では就寝する人の全体重によって敷布８が固定されており敷布８に縫合された表布９で覆われるので掛布団２はズレにくくなる。【００１０】腰から下の下半身部分のみを抑える構造で、これは上半身よりも圧迫を感じにくく気にならないために入眠時と睡眠中の圧迫感を軽減できる。【００１１】就寝する人の上半身部分が覆われない構造となっているので布団から出ていない状態のままで上半身を起こして起床ができる。【００１２】表布９と敷布８の結合にはマチ１を縫合することによって行い、ファスナー等の部品が不要であるのでコストを低減化でき作業口７により布団を引き入れる手間が容易となる。
【図面の簡単な説明】
【００１３】
【図１】  全体図
【図２】  使用している様子
【図３】  就寝中の様子を真横から見た図
【図４】  起き上がる様子を真横から見た図
【図５】  縫いしろを曲げる前のマチ部分を含んだ表布９
【図６】  縫合前のマチ部分を含んだ表布９と敷布８
【図７】  縫合後の表布９と敷布８
【考案を実施するための形態】
【００１４】本考案は布団半分程度の大きさである袋を備える状差しのような形状をした布製寝具保持具であり、敷布８と表布９を縫合して袋にする。
【００１５】袋状部分となる表布９の上半身から下半身方向への長さは人が寝ている状態で腰から下の部分を覆える程度の長さとする。
【００１６】袋状部分には収める布団の厚さや就寝する人の身体のサイズに対して充分な高さとなるマチ１を設ける。
【００１７】マチ１と敷布８あるいは表布９とを縫合する部分は全てを縫合せず、手を差し込める程の幅で未縫合部分を残しておき作業口７とすると布団を引き込む際の作業が容易となり、なお良い。
【実施例】
【００１８】以下、添付図面に従って実施例を説明する。図１において８は敷布であり９は表布９である。この敷布８および表布９の長さは使用者の身長に合わせる。例えば大人用、女性用、子供用などの３種類を設けてもよい。さらに敷布８と表布９のどちらかにマチ部分を設ける、あるいはマチ部分となる独立した布部品を縫合して使用者が横臥した際に腰から下が覆われる袋状になるようにする。【００１９】敷布団３と掛布団２のみを使用する場合の様子を図２に示すが、布団や毛布などを布製寝具保持具の上に下側になるものから一つずつ広げて敷いてから袋状部分へ収めるか、あるいは全てを敷いてからまとめて袋状部分へ収めるかするが毛布を掛布団２の上に被せる場合には毛布は袋状部分へは収めずに布製寝具保持具の上に被せてもよい。【００２０】図３と図４はそれぞれ使用中の様子を真横からみたものであるが、図３は就寝中で図４は上半身を起こして起床した状態を示したものである。【００２１】図５〜７で布団を引き込む際の作業性の向上のために袋状部分の中へ腕を差し込める作業口７をマチ部分を含む表布９と敷布８を縫合して作りこむ場合の例を説明する。【００２２】マチ１の縫いしろ１０を伸ばした状態が図５で縫いしろ１０を曲げた状態のものを図６で示すように敷布８に合わせる。【００２３】この縫いしろ１０を敷布８と縫合した状態が図６であり、マチ１と敷布８とを縫合する縫合線を５と６のように分割し作業者の腕を差し込める程度の幅で未縫合として未縫合部分のマチ１と敷布８の隙間を作業口７とする。【００２４】敷布８と表布９を連結された一枚の布を折り返して袋状部分を作る場合には縫合箇所が無いので作業口７にあたる箇所に切り込みをいれるなどすればよい。【００２５】本考案の一実施例は上述の構成からなり、袋状部分の長さを使用者の下半身を覆うだけの長さとなるように製作することで使用者の身長等に対応して入眠しやすくなり上半身のみを起こして起床できることと布団のズレを防ぐということを両立できるうえに作業口７を設けたので寝具の準備作業が手早くできる。【００２６】なお本考案の実施例では敷布８、表布９、マチ１の結合には縫合する例を示したが縫合に限らず接着剤や両面テープ、面ファスナーなどにて結合してもよい。【００２７】また、敷布８と表布９の横幅は敷布団３と掛布団２の横幅に対応していればよい。【００２８】使用する布団が厚手であったり薄手である場合はマチ１の幅を掛布団２と敷布団３の厚さに対応させた厚手布団用、薄手布団用などのように複数種類を設けるか、マチ１に用いる素材を伸縮性のあるものにして対応するとよい。
【符号の説明】
【００２９】１    マチ
２    掛布団
３    敷布団
４    使用者
５    マチと敷布の縫合線
６    マチと敷布の縫合線
７    作業口
８    敷布
９    表布
１０  縫いしろ
【図１】
0003232283.tif 000003
【図２】
0003232283.tif 000004
【図３】
0003232283.tif 000005
【図４】
0003232283.tif 000006
【図５】
0003232283.tif 000007
【図６】
0003232283.tif 000008
【図７】
0003232283.tif 000009